(57)【要約】    【課題】  変換プラグを使用せずに２ピンから３ピン及び３ピンから２ピンへの変更が容易にできる電源プラグを提供することを目的とする。    【解決手段】  本発明の電源プラグは、プラグ本体と、このプラグ本体の端面にコンセントの差込口に挿入されるオス端子と、アースピンと、が突出し設けた電源プラグであり、係止片を操作することによって、開口部を介して、アースピン本体をプラグ本体の端部から突出状態及び収納状態にスライド移動できるスライド部を前記プラグ本体内に形成したことを特徴とする。【選択図】    図１
2008198582.tif 000002
【特許請求の範囲】
【請求項１】
プラグ本体と、このプラグ本体の端面にコンセントの差込口に挿入される１対のオス端子と、アースピンと、が突出されて設けられている電源プラグにおいて、
アースピン本体と、このアースピン本体から突出されて設けられている係止片と、を有するアースピンと、
前記アースピン本体を挿通する開口部と、前記係止片を挿通する係止孔と、を有するプラグ本体と、
前記係止片が前記係止孔に挿通された状態で、前記係止片を操作することによって、前記開口部を介して、前記アースピン本体を前記プラグ本体の端部から突出状態及び収納状態にスライド移動できるスライド部を前記プラグ本体内に形成したことを特徴とする電源プラグ。
【請求項２】
前記係止孔は、前記アースピン本体を前記プラグ本体から突出状態で係止する突出係止孔と、前記アースピン本体を前記プラグ本体に収納された状態で係止する収納係止孔と、を有することを特徴とする請求項１記載の電源プラグ。
【請求項３】
前記係止孔は、前記係止片の動作をガイドするコの字状の溝であり、前記アースピン本体を前記プラグ本体から突出状態で係止する突出係止溝と、前記アースピン本体を前記プラグ本体に収納された状態で係止する収納係止溝と、を有することを特徴とする請求項１記載の電源プラグ。
【請求項４】
前記スライド部は、前記アースピン本体を前記プラグ本体の端部から突出状態になるように付勢する付勢部材を有することを特徴とする請求項１、請求項２、請求項３記載の電源プラグ。
【発明の詳細な説明】
【技術分野】
【０００１】
本発明は、電源プラグに係り、詳しくは３ピンから２ピン及び２ピンから３ピンに容易に変更できる電源プラグに関する。
【背景技術】
【０００２】
従来、一対のオス端子及びアースピンを備えた３ピンの電源プラグがある。この３ピンの電源プラグは、アースピンに対応していない（設置点のない）コンセントには差し込むことができないため、アースピンに対応していないコンセントに差し込むときは、３ピンから２ピンに変換する変換プラグ差し込んでからコンセントに差し込んでいた。
オス端子は、商用電源のコンセントに差し込み電源を得るものである。
アースピンは、過電流から電気機器を保護し、機器の絶縁不良によって人体に感電することを防止するもので、設置点（グランド）に接続されている。
【０００３】
しかしながら、従来の３ピンの電源プラグは、２ピンに変換するときに変換プラグを使用するため、電源プラグと変換プラグの差し込み状態が悪いときに漏電する危険性があった。また、作業中などに引っかかりやすくコンセントから抜けやすくなる、自重でコンセントから抜けやすくなるなどコンセントへの差し込み状態が不安定になるという問題があった。また、変換プラグは、電源プラグと別体であるため、変換プラグを紛失するという問題があった。
【０００４】
【特許文献１】特開２００２−２１６６１３
【発明の開示】
【発明が解決しようとする課題】
【０００５】
本発明は、上記のような問題点に着目してなされたものであって、アースピンを電源プラグから出没可能にしたため、３ピンから２ピン及び２ピンから３ピンに容易に変更できる電源プラグを提供することを目的とする。
【課題を解決するための手段】
【０００６】
本発明に掛かる電源プラグは、プラグ本体と、このプラグ本体の端面にコンセントの差込口に挿入される１対のオス端子と、アースピンと、が突出されて設けられている電源プラグにおいて、アースピン本体と、このアースピン本体から突出されて設けられている係止片と、を有するアースピンと、前記アースピン本体を挿通する開口部と、前記係止片を挿通する係止孔と、を有するプラグ本体と、前記係止片が前記係止孔に挿通された状態で、前記係止片を操作することによって、前記開口部を介して、前記アースピン本体を前記プラグ本体の端部から突出状態及び収納状態にスライド移動できるスライド部を前記プラグ本体内に形成したことを特徴とする。
前記係止孔は、前記アースピン本体を前記プラグ本体から突出状態で係止する突出係止孔と、前記アースピン本体を前記プラグ本体に収納された状態で係止する収納係止孔と、を有することができる。
前記係止孔は、前記係止片の動作をガイドするコの字状の溝であり、前記アースピン本体を前記プラグ本体から突出状態で係止する突出係止溝と、前記アースピン本体を前記プラグ本体に収納された状態で係止する収納係止溝と、を有することができる。
前記スライド部は、前記アースピン本体を前記プラグ本体の端部から突出状態になるように付勢する付勢部材を有することができる。
【発明の効果】
【０００７】
本発明に係る電源プラグは、アースピンを電源プラグ本体からスライドし、出没可能にしたため、３ピンから２ピン及び２ピンから３ピンに容易に変更することができる。
【発明を実施するための最良の形態】
【０００８】
以下、本発明に係る電源プラグの第１の実施の形態を図１ないし図３に基づき説明する。
【０００９】
図１は、電源プラグ１の側面断面図である。図２は、電源プラグ１の平面図である。図３は、電源プラグ１の使用形態を示す斜視図である。
【００１０】
図１及び図２に示すように、電源プラグ１は、端部に電源コード２に取り付け、絶縁性樹脂から形成されるプラグ本体３と、電源コード２の取り付け位置と反対の端部に取り付けられた、１対のオス端子４と、アースピン５と、プラグ本体３の内部にアースピン５をプラグ本体３の端部から出没可能にスライドできるスライド部６と、アース線７と、を有する。
【００１１】
プラグ本体３は、アースピン５をプラグ本体３の端部から突出させる開口部１０と、１対のオス端子４をプラグ本体３の端部（アースピン５と同一の端部）から突出させるオス端子開口部１１と、後述するアースピン５の係止片２２と係合し、アースピン５をプラグ本体３の端部から突出状態及びプラグ本体３内に収納状態に係止する係止孔１２と、を有する。
開口部１０は、アースピン５をスライド移動させるため、アースピン５の外周Ｈと比較して大きな孔になっている。
係止孔１２は、アースピン５の後述する係止片２２と係合し、アースピン５をプラグ本体３端部から突出した状態で係止する突出係止孔１３と、アースピン５をプラグ本体３に埋没した状態で係止する収納係止孔１４と、を有する。
【００１２】
オス端子４は、電源コード２内に配線されている電源線１７に接続されている。
アースピン５は、後述するスライド金属部材２９及び付勢部材３０を介して接地線２０に接続され、過電流から図示しない電気機器を保護し、機器の絶縁不良による人体への感電を防止するもので、アースピン本体２１と、このアースピン本体２１から突出し設けられている係止片２２と、を有する。
アースピン本体２１は、断面円形の金属製の丸棒であって、係止片２２を遊嵌する切り欠きである切欠部２３と、この切欠部２３の上端部に、係止片２２の後述する係止部材２６と係合し、係止片２２がアースピン本体２１から抜け落ちることを防止する突出である係止片支持部材２４と、切欠部２３内部に係止片２２を係止片支持部材２４側（上側）に付勢する弾性部材２５と、を有する。
係止片２２は、アースピン本体２１と遊嵌し、弾性部材２５によって常に上側に付勢され、アースピン本体２１（アースピン５）をプラグ本体３の端部から突出させるときは、後述するスライド金属部材２９のガイド溝３３を介して係止片２２を突出係止孔１３へ係合させ、アースピン本体２１をプラグ本体３の端部に収納するときは、後述するスライド金属部材２９のガイド溝３３を介して係止片２２を収納係止孔１４へ係合させ、アースピン５（アースピン本体２１）を出没可能に操作するものであって、操作時に人体への感電を防止するため絶縁性樹脂で形成されている。この係止片２２は、係止片支持部２４に支持される係止部材２６を有しており、この係止部材２６と係止片支持部材２４との接触によって係止片２２がアースピン５から抜け落ちることを防止している。
また係止片２２の先端は円形に形成されている。
【００１３】
スライド部６は、プラグ本体３の内部に形成され、接地線２０と接続されアースピン５に図示しない電気機器の過電流等を流すと共に、アースピン５をプラグ本体３の端部から出没可能にガイドするものであって、アースピン５を摺動させアースピン５と電気的接続をする金属製のスライド金属部材２９と、アースピン５をプラグ本体３端部から突出した状態に付勢する付勢部材３０と、を有する。
スライド金属部材２９は、断面がコの字形状の金属製の部材であり、アースピン本体２１がスライドできるように接触させること（摺動状態であること）によってアースピン５と電気的に接続され、且つ、アースピン本体２１をプラグ本体３から突出状態及びプラグ本体３内に収納状態に移動するガイドの役割を果たすスライド金属部材本体３１と、開口部１０と反対側の端面に接地線２０と接続する接続片３２と、上部（係止片２２側）に係止片２２を突出係止孔１３及び収納係止孔１４にガイドするガイド溝３３と、を有する。
また、スライド金属部材２９は、アースピン５が開口部１０から出没可能になる位置（アースピン５が収納状態のときにアースピン５の先端が開口部１０に位置するよう）に配置されている。
付勢部材３０は、アースピン５の後端に配置され、アースピン５をプラグ本体３の端部に突出する状態に付勢する金属製のバネのことであり、接地線２０に接続されたスライド金属部材２９と電気的接続をしており、アースピン５に対しても電気的接続をしている。
【００１４】
アース線７は、スライド金属部材２９を介して接地線２０に接続され、図示しないアース線用端子付コンセントを使用する場合でも、アース線端子３６に接続し、接地線２０を接地接続することができるものである。
【００１５】
以下に本発明に係る電源プラグ１の第１の実施の形態の動作を図３に基づき説明する。
【００１６】
図３の電源プラグ１は、アースピン５がプラグ本体３から突出した状態を示している。このアースピン５がプラグ本体３から突出した状態から、プラグ本体３に収納された状態にするには、突出係止孔１３から突出している係止片２２を下側（アースピン本体２１側）に押すと同時にアースピン本体２１の先端をプラグ本体３側に押すと、係止片２２の先端がプラグ本体３の内側に入り込み、係止片２２が突出係止孔１３に係止されている状態が解除され、そのままアースピン本体２１の先端をプラグ本体３側に押し続けると係止片２２が弾性部材２５の付勢により、収納係止孔１４に引っ掛かり、係止片２２が収納係止孔１４から突出されアースピン５が係止されることにより、アースピン５はプラグ本体３に収納された状態と確認できる。
また、アースピン５がプラグ本体３に収納された状態から、プラグ本体３から突出した状態にするには、収納係止孔１４から突出している係止片２２を下側（アースピン本体２１側）に押すと、係止片２２の先端がプラグ本体３の内側に入り込み、係止片２２が収納係止孔１４に係止されている状態が解除される。係止状態が解除されたアースピン５は付勢部材３０の付勢によって、スライド金属部材２９に摺動しながらプラグ本体３の開口部１０側（端部側）に押し出され、係止片２２が弾性部材２５の付勢により、突出係止孔１３に引っ掛かり、係止片２２が突出係止孔１３から突出されアースピン５が係止されることにより、アースピン５はプラグ本体３の端部から突出した状態となる。
【００１７】
以下、本発明に係る電源プラグの第２の実施の形態を図４ないし図６に基づき説明する。
【００１８】
図４は、電源プラグ４１の側面断面図である。図５は、電源プラグ４１の平面図である。図６は、電源プラグ４１の使用形態を示す斜視図である。
【００１９】
図４及び図５に示すように、電源プラグ４１は、端部に電源コード４２に取り付け、絶縁性樹脂から形成されるプラグ本体４３と、電源コード４２の取り付け位置と反対の端部に取り付けられた、１対のオス端子４４と、アースピン４５と、プラグ本体４３の内部に、アースピン４５をプラグ本体４３の端部から出没可能にスライドできるスライド部４６と、アース線４７と、を有する。
【００２０】
プラグ本体４３は、アースピン４５をプラグ本体４３の端部から突出させる開口部５０と、１対のオス端子４４をプラグ本体４３の端部（アースピン４５と同一の端部）から突出させるオス端子開口部５１と、後述するアースピン４５の係止片を操作することによってアースピン４５をスライド移動可能にし、係止片をプラグ本体４３の端部から突出状態及びプラグ本体４３に収納状態に動作させるガイド及び突出状態及び収納状態に係止するコの字状の係止溝５２と、を有する。
開口部５０は、アースピン４５をスライド移動させるため、アースピン４５の外周Ｈと比較して大きな孔になっている。
係止溝５２は、アースピン４５と接続された後述する係止片６２をガイドするものであって、アースピン４５をプラグ本体４３端部から突出した状態で係止する突出係止溝５３と、アースピン４５をプラグ本体４３に埋没した状態で係止する収納係止溝５４と、突出係止溝５３及び収納係止溝５４と接続され、係止片６２（アースピン４５）を突出係止溝５３から収納係止溝５４及び収納係止溝５４から突出係止溝５３へ移動させるガイドとなるスライド溝５５と、を有する。
【００２１】
オス端子４４は、電源コード４２内に配線されている電源線５７に接続されている。
アースピン４５は、後述するスライド金属部材６９を介して接地線６０に接続され、過電流から図示しない電気機器を保護し、機器の絶縁不良による人体への感電を防止するもので、アースピン本体６１と、アースピン４５から突出し設けられている係止片６２と、を有する。
アースピン本体６１は、断面円形の金属製の丸棒であって、係止片６２を挿嵌させる切り欠きである切欠部６３を有する。
係止片６２は、アースピン本体６１と切欠部６３を介して挿嵌され、アースピン本体６１をプラグ本体４３の端部から突出させるときは、スライド溝５５及び後述するスライド金属部材６９のガイド溝７３を介して係止片６２を突出係止溝５３へ係合させ、アースピン本体６１をプラグ本体４３の端部に収納するときは、スライド溝５５及び後述するスライド金属部材６９のガイド溝７３を介して係止片６２を収納係止溝５４へ係合させ、アースピン４５を出没可能に操作するものであって、操作時に人体への感電を防止するため絶縁性樹脂で形成されている。
また係止片６２は、スライド溝５５から指先で摘める程度突出する長さを有している。
また、アースピン本体６１と切欠部６３との接続方法として、アースピン４５と切欠部６３に螺子溝（雄螺子、雌螺子）を螺合しても良い。
【００２２】
スライド部４６は、プラグ本体４３の内部に形成され、接地線６０と接続されてアースピン４５に図示しない電気機器の過電流等を流すと共に、アースピン本体６１をプラグ本体４３の端部から出没可能にガイドするものであって、アースピン本体６１を摺動させアースピン４５と電気的接続をする金属製のスライド金属部材６９を有する。
スライド金属部材６９は、断面がコの字形状の金属製の部材であり、アースピン本体６１（アースピン４５）がスライドできるように接触させること（摺動状態であること）によってアースピン４５（アースピン本体６１）と電気的に接続され、且つ、アースピン本体６１をプラグ本体４３から突出状態及びプラグ本体４３内に収納状態に移動するガイドの役割を果たすスライド金属部材本体７１と、開口部５０と反対側の端面に接地線６０と接続する接続片７２と、上部（係止片６２側）に係止片６２を係止溝５２（突出係止溝５３及び収納係止溝５４及びスライド溝５５）にガイドするコの字状のガイド溝７３と、を有する。
また、スライド金属部材６９は、アースピン４５が開口部５０から出没可能になる位置（アースピン４５が収納状態のときにアースピン本体６１の先端が開口部５０に位置するよう）に配置されている。
また、第１の実施の形態で述べたように、アースピン４５の後端に配置され、アースピン４５をプラグ本体４３の端部に突出する状態に付勢する金属製のバネである付勢部材をスライド部４６に設けても良い。
【００２３】
アース線４７は、スライド金属部材６９を介して接地線６０に接続され、アース線用端子付コンセントを使用する場合でも、アース線端子７６に接続し、接地線６０を接地接続することができるものである。
【００２４】
以下に本発明に係る電源プラグ４１の第２の実施の形態の動作を図６に基づき説明する。
【００２５】
図６の電源プラグ４１は、アースピン４５がプラグ本体４３から突出した状態を示している。このアースピン４５がプラグ本体４３から突出した状態から、プラグ本体４３に収納された状態にするには、突出係止溝５３に係止している係止片６２をスライド溝５５側にスライドさせる（アースピン４５を時計回りに回転する）。係止片６２をスライド溝５５にスライドさせた後に、係止片６２を収納係止溝５４側（開口部５０と反対側）にスライドさせると、アースピン４５は開口部５０を介してプラグ本体４３に収納されて行く。係止片６２を収納係止溝５４の位置までスライドさせたら、係止片６２を反時計回りに回転し、収納係止溝５４に係止することにより、アースピン４５はプラグ本体４３に収納された状態と確認できる。
また、アースピン４５がプラグ本体４３に収納された状態から、プラグ本体４３から突出した状態にするには、収納係止溝５４に係止している係止片６２をスライド溝５５側にスライドさせる（アースピン４５を時計回りに回転する）。係止片６２をスライド溝５５にスライドさせた後に、係止片６２を突出係止溝５３側（開口部５０側）にスライドさせると、アースピン４５は開口部５０を介してプラグ本体４３から突出して行く。係止片６２を突出係止溝５３の位置までスライドさせたら、係止片６２を反時計回りに回転し、突出係止溝５３に係止することにより、アースピン４５はプラグ本体４３の端部から突出した状態となる。
【００２６】
上述した構成の本発明の電源プラグ（１、４１）は、変換プラグを使用せずに２ピンから３ピン及び３ピンから２ピンへの変更が容易にできるため、電源プラグと変換プラグの差し込み状態が悪いときに漏電する危険性や、作業中などに引っかかりやすくコンセントから抜けやすくなる、自重でコンセントから抜けやすくなるなどコンセントへの差し込み状態が不安定になる、また、変換プラグは、電源プラグと別体であるため、変換プラグを紛失するという問題がなく使用することができる。
【００２７】
なお、本発明が上記実施の形態に限定されず、本発明の技術思想の範囲内において、実施の形態は適宜変更可能である。また、上記構成要件の数、位置、形状等は上記実施の形態に限定されず、本発明を実施する上で好適な数、位置、形状等にすることができる。
【図面の簡単な説明】
【００２８】
【図１】電源プラグ１の側面断面図である。
【図２】電源プラグ１の平面図である。
【図３】電源プラグ１の使用形態を示す斜視図である。
【図４】電源プラグ４１の側面断面図である。
【図５】電源プラグ４１の平面図である。
【図６】電源プラグ４１の使用形態を示す斜視図である。
【符号の説明】
【００２９】
１      電源プラグ
２      電源コード
３      プラグ本体
４      オス端子
５      アースピン
６      スライド部
７      アース線
１０    開口部
１１    オス端子開口部
１２    係止孔
１３    突出係止孔
１４    収納係止孔
１７    電源線
２０    接地線
２１    アースピン本体
２２    係止片
２３    切欠部
２４    係止片支持部材
２５    弾性部材
２６    係止部材
２９    スライド金属部材
３０    付勢部材
３１    スライド金属部材本体
３２    接続片
３３    ガイド溝
３６    アース線端子
４１    電源プラグ
４２    電源コード
４３    プラグ本体
４４    オス端子
４５    アースピン
４６    スライド部
４７    アース線
５０    開口部
５１    オス端子開口部
５２    係止溝
５３    突出係止溝
５４    収納係止溝
５５    スライド溝
５７    電源線
６０    接地線
６１    アースピン本体
６２    係止片
６３    切欠部
６９    スライド金属部材
７１    スライド金属部材本体
７２    接続片
７３    ガイド溝
７６    アース線端子
【図１】
2008198582.tif 000003
【図２】
2008198582.tif 000004
【図３】
2008198582.tif 000005
【図４】
2008198582.tif 000006
【図５】
2008198582.tif 000007
【図６】
2008198582.tif 000008